(57)【要約】【課題】インク収容管内に充填されるインクの充填量を増加させることができるとともに、本体軸筒を短軸化した場合においても、既製のインク収容管を使用することができるようにしたボールペンを提供する。【解決手段】本体軸筒２内に配設したホルダ部材７に、前端部にペンチップが設けられたインク収容管６の開口後端部６ａを前方より内嵌して、インク収容管６を着脱可能に保持するとともに、ホルダ部材７の後方に、本体軸筒２の後端部２ｂに設けたノック機構９のノック操作に連動してインク収容管６の開口後端部６ａ内を加圧する加圧ポンプ機構１６を設けたボールペン１において、加圧ポンプ機構１６を、ノック機構９内に収容しうるように配置する。【選択図】    図２
2009226674.tif 000002
【特許請求の範囲】
【請求項１】
本体軸筒内に配設したホルダ部材に、前端部にペンチップが設けられたインク収容管の開口後端部を前方より内嵌して、インク収容管を着脱可能に保持するとともに、ホルダ部材の後方に、本体軸筒の後端部に設けたノック機構のノック操作に連動してインク収容管の開口後端部内を加圧する加圧ポンプ機構を設けたボールペンにおいて、
加圧ポンプ機構を、軸線方向においてノック機構内に配置したことを特徴とするボールペン。
【請求項２】
加圧ポンプ機構を、前端開口部がインク収容管の開口後端部内に連通し、かつ軸線方向に伸縮変形自在な加圧室を備える加圧部材と、この加圧部材の後端に形成した開口に対して軸線方向に接離可能に当接し、前記加圧室を圧縮方向に気密状態で押圧する押圧部材とにより構成し、この押圧部材を、ノック機構におけるノック棒の押込み動作に連動させるとともに、本体軸筒内に配設したホルダ部材に内嵌されたインク収容管の開口後端部を、加圧部材と共にノック機構におけるカム機構の回転子内を挿通させて、ノック棒内に収容した請求項１記載のボールペン。
【発明の詳細な説明】
【技術分野】
【０００１】
本発明は、ボールペンに関し、特に前端部にペンチップが設けられたインク収容管からなるペンリフィールユニットを有するとともに、使用時のノック操作により、インク収容管内のインクを加圧するための加圧ポンプ機構を備えたボールペンに関する。
【背景技術】
【０００２】
従来のボールペンは、図４に示すように、本体軸筒０１内に、ペンリフィールユニットにおけるインク収容管０２が着脱可能に装填されているとともに、インク収容管０２の開口後端部０３を、ホルダ部材０４に差込み保持されるように内嵌し、かつ本体軸筒０１の後端部に設けたノック機構０５のノック部０６にノック棒０７を連動させている。
これにより、ノック部０６を、圧縮スプリング０８の付勢力に抗して、ノック操作したとき、ノック機構０５に連係するカム機構０９の回転子０１０を作動させて、インク収容管０２を、圧縮スプリング０１１の付勢力に抗して、軸線方向に移動させることによって、インク収容管０２の前端部に設けられたペンチップ（図示しない）を、外部に突出させるようになっている。
【０００３】
一方、インク収容管０２の開口後端部０３とノック機構０５の前端との間には、加圧ポンプ機構０１２が設けられているとともに、この加圧ポンプ機構０１２は、軸線方向に伸縮変形自在にした加圧部材０１３を備えている。
この加圧部材０１３の前端開口部０１３ａは、ホルダ部材０４を介して、インク収容管０２の開口後端部０３内に連通しうるようになっているとともに、加圧部材０１３の後端開口部０１３ｂには、加圧室０１４内に臨む押圧部材０１５の前端部０１５ａが軸線方向に接離可能に当接されている。
【０００４】
押圧部材０１５は、ノック機構０５におけるノック部０６の押込み動作にノック棒０７を介して連動させることによって、加圧部材０１３内の加圧室０１４を、圧縮方向に気密状態で押圧するようになっており、これにより、インク収容管０２の開口後端部０３内を加圧し、特に、上向き筆記時におけるインク切れ等を防止するようになっている。
【０００５】
しかし、このようなボールペンは、加圧ポンプ機構０１２が、インク収容管０２の開口後端部０３とノック機構０５の前端との間に配置されていることから、インク収容管０２の長さが制約されるため、インク収容管０２内に充填されるインクの充填量も制約される。
また、本体軸筒０１を短軸化した場合、インク収容管０２の長さも新たに短くする必要があるため、既製の長さのインク収容管を使用することができないという問題があった。
【発明の開示】
【発明が解決しようとする課題】
【０００６】
本発明は、前記の現状に鑑み、インク収容管内に充填されるインクの充填量を増加させることができるとともに、本体軸筒を短軸化した場合においても、既製のインク収容管を使用することができるようにしたボールペンを提供することを目的とする。
【課題を解決するための手段】
【０００７】
上記課題は、「特許請求の範囲」における各請求項に記載するように、次のような構成からなる発明によって解決される。
【０００８】
（１）  本体軸筒内に配設したホルダ部材に、前端部にペンチップが設けられたインク収容管の開口後端部を前方より内嵌して、インク収容管を着脱可能に保持するとともに、ホルダ部材の後方に、本体軸筒の後端部に設けたノック機構のノック操作に連動してインク収容管の開口後端部内を加圧する加圧ポンプ機構を設けたボールペンにおいて、加圧ポンプ機構を、軸線方向においてノック機構内に配置する。
【０００９】
（２）  上記（１）項において、加圧ポンプ機構を、前端開口部がインク収容管の開口後端部内に連通し、かつ軸線方向に伸縮変形自在な加圧室を備える加圧部材と、この加圧部材の後端に形成した開口に対して軸線方向に接離可能に当接し、前記加圧室を圧縮方向に気密状態で押圧する押圧部材とにより構成し、この押圧部材を、ノック機構におけるノック棒の押込み動作に連動させるとともに、本体軸筒内に配設したホルダ部材に内嵌されたインク収容管の開口後端部を、加圧部材と共にノック機構におけるカム機構の回転子内を挿通させて、ノック棒内に収容する。
【発明の効果】
【００１０】
本発明によると、次のような効果が奏せられる。
請求項１記載の発明によれば、加圧ポンプ機構を、軸線方向においてノック機構内に配置しているため、本体軸筒を従来構造と同一長さのものを使用した場合、インク収容管の長さを、加圧ポンプ機構がノック機構内に配置された分だけ長くすることができ、これにより、インク収容管内に充填されるインク量を増加させることができるとともに、本体軸筒を短軸化した場合においても、既製の長さのインク収容管を使用することができる。
【００１１】
請求項２記載の発明によれば、本体軸筒内に配設したホルダ部材に内嵌されたインク収容管の開口後端部を、加圧部材と共にノック機構におけるカム機構の回転子内を挿通させて、ノック棒内に収容するとともに、加圧部材の加圧室を、ノック機構におけるノック棒の押込み動作に連動させた押圧部材によって、圧縮方向に気密状態で押圧するようにしてあるため、加圧部材における加圧室内の圧縮を簡素な構造でもって行うことができる。
【発明を実施するための最良の形態】
【００１２】
以下、本発明を、図面に基づいて詳細に説明する。
図１は、本発明の一実施形態を示すボールペンの側面図、図２は、本体軸筒における後端部の要部拡大断面図、図３は、同じく、加圧状態を示す要部拡大断面図である。
なお、図において、紙面に対して「左側」を「前方」、「右側」を「後方」とする。
【００１３】
図１に示すように、本発明のボールペン１は、本体軸筒２と、この本体軸筒２の前端部２ａに螺着したペン先部材３とを備えている。
【００１４】
本体軸筒２内には、図２に示すように、ペンリフィールユニット４が装填されている。
このペンリフィールユニット４は、筆記媒体としてのインク５が充填されたインク収容管６を備えるとともに、このインク収容管６の前端部には、図示しないペンチップが装着されている。
【００１５】
インク収容管６の開口後端部６ａは、本体軸筒２内に軸線方向に移動自在に配設したホルダ部材７に、前方より内嵌されて着脱可能に保持されている。
このホルダ部材７の後端部７ａには、インク収容管６の開口後端部６ａ内と連通する通気路７ｂが貫通状態で形成され、後記する加圧ポンプ機構１６における加圧部材１８の加圧室１９と連通可能になっている。
また、ホルダ部材７は、圧縮スプリング８により、後方に向けて付勢され、ペンリフィールユニット４のペンチップを、ペン先部材３内に格納しうるようになっている。
【００１６】
本体軸筒２の後端部２ｂ内には、ノック機構９が組み込まれている。
このノック機構９は、ノック部１０と、このノック部１０を本体軸筒２の後端部２ｂから外部に突出しうるように後方に向けて付勢する圧縮スプリング１１と、この圧縮スプリング１１の付勢力に抗するノック部１０の押込み動作、及びその開放動作に協動する筒状のノック棒１２と、このノック棒１２に連動するカム機構１３と、このカム機構１３に協動する筒状の回転子１４とにより構成されている。
圧縮スプリング１１のばね力は、ホルダ部材７を後向きに付勢する圧縮スプリング８のばね力よりも小さく設定されている。
【００１７】
ノック機構９は、ノック部１０のノック操作により、ノック棒１２を、圧縮スプリング１１の付勢力に抗して押込み動作させるとともに、その開放を行うことより、カム機構１３によって、回転子１４を駆動させ、これにより、ペンリフィールユニット４のペンチップを、格納状態または突出状態に出没させうるようになっている周知の機構である。
【００１８】
インク収容管６の開口後端部６ａを連通状態で保持するホルダ部材７の後端部７ａは、ノック棒１２内と回転子１４内とに跨って挿入した導入筒１５を通して、ノック棒１２内に臨むように挿通されているとともに、このホルダ部材７の後端部７ａが臨むノック棒１２内には、加圧ポンプ機構１６が軸線方向において配置されている。
【００１９】
加圧ポンプ機構１６は、ノック機構９におけるノック棒１２の後端部１２ａに連動するように取り付けた押圧部材１７と、この押圧部材１７の前端部１７ａとインク収容管６の開口後端部６ａとの間に設けた加圧部材１８とを備えているとともに、この加圧部材１８の加圧室１９内に、インク収容管６の開口後端部６ａが連通状態で保持されるホルダ部材７の後端部７ａを前方より臨ませている。
これにより、インク収容管６の開口後端部６ａは、加圧部材１８と共にノック棒１２内に収容されるようになっている。
【００２０】
加圧部材１８は、ゴム等のエラストマーからなる弾性円筒体により形成されている。
この加圧部材１８の加圧室１９内には、インク収容管６の開口後端部６ａを連通状態で保持するホルダ部材７の後端部７ａが前方から密接状態で臨み、押圧部材１７の前端部１７ａが、開口２０を通して後方から外気と連通状態で臨むように組み付けられている。
【００２１】
加圧部材１８の前端１８ａは、ホルダ部材７の後端部７ａに形成した段付き顎面２１に密接されているとともに、加圧部材１８の後端１８ｂには、開口２０の周囲に環状突起２２が形成されている。
環状突起２２には、図３に示すように、ノック機構９におけるノック部１０のノック操作時に、ノック棒１２に連動させた押圧部材１７の前方への移動によって、その前端部１７ａに形成した段付き顎面２３が当接されるようになっている。
これにより、押圧部材１７の前端部１７ａが、加圧部材１８の後端１８ｂに形成した開口２０に対して軸線方向に接離可能に当接され、加圧室１９に連通する開口２０を圧縮方向に気密状態で押圧し、加圧室１９内が通気状態から気密状態となる。
【００２２】
すなわち、ノック機構９におけるノック部１０のノック操作によって、ノック棒１２に連動する押圧部材１７の前方への移動により、加圧室１９内を軸線方向に弾性的に圧縮変形し、加圧ポンプ機構１６における加圧部材１８の加圧室１９の加圧空気が、インク収容管６の開口後端部６ａ内に向けて圧送される。
【００２３】
次に、本発明におけるボールペン１の操作手順を説明する。
図２に示す非加圧状態において、まず、図２に実線矢印で示すように、ノック機構９のノック部１０を圧縮スプリング１１の付勢力に抗して、前方に向けて押込み動作させると、図３に示すように、この動作に協動して、ノック棒１２が前方に向けて移動し、カム機構１３を介して回転子１４が半駆動される。
【００２４】
このとき、押圧部材１７は、ノック棒１２の移動と共に、前方に向けて移動し、その段付き顎面２３が、加圧部材１８の後端部１８ｂに形成した環状突起２２に当接されて、加圧室１９に連通する開口２０を閉塞した状態で、加圧室１９を弾性的に圧縮変形させる。
【００２５】
押圧部材１７により圧縮された加圧部材１８の加圧室１９内の空気は、図３に実線矢印で示すように、インク収容管６の開口後端部６ａ内に向けて圧送され、インク収容管６内が加圧される。
このとき、ノック部１０の押込み力は、圧縮スプリング１１のばね力が、ペンリフィールユニット４のホルダ部材７を後方に付勢する圧縮スプリング８のばね力よりも、小さく設定されている。
これにより、インク収容管６を保持するホルダ部材７は、前方に向けて移動することがないため、インク収容管６の前端部に装着した、図示しないペンリフィールユニット４のペンチップは、ペン先部材３内に格納状態に維持される。
【００２６】
インク収容管６内を加圧した後、図３に破線矢印で示すように、ノック部１０を、圧縮スプリング８のばね力よりも強い力により、前方に向けて押込み動作させると、この動作に協動して、ノック棒１２は前方に向けて移動し、カム機構部１３を介して、回転子１４がさらに駆動される。
このとき、ノック部１０の押込み力は、ペンリフィールユニット４のホルダ部材７を後方に付勢する圧縮スプリング８のばね力よりも大きいため、ペンリフィールユニット４は、前方に向けて移動し、本体軸筒２の前端部２ａにおけるペン先部材３からペンチップが外部に突出されて、筆記可能な状態になる。
【００２７】
次いで、ノック部１０の押込み動作を開放すると、ノック棒１２のみが圧縮スプリング１１の付勢力により後方に復帰し、回転子１４は、駆動位置で係止されるため、ペンリフィールユニット４のペンチップが突出状態に維持される。
【００２８】
押圧部材１７は、加圧部材１８を押圧したままとなっているため、加圧部材１８の加圧室１９内は、加圧状態が維持されている。
これにより、ペン使用時に、インク収容管６内を常に加圧状態に維持させることができるため、ペン先を上向きにした状態での筆記も容易に行うことができる。
【００２９】
筆記使用後、ノック部１０を、圧縮スプリング１１の付勢力に抗して、再度、前方に向けて押込み、ノック棒１２を動作させると、カム機構部１３に対する回転子１４の係止状態が解除され、圧縮スプリング１１の付勢力によるノック棒１２の後方への復帰と共に、回転子１４は、圧縮スプリング８の付勢力により、押圧部材１７と共に後方に向け移動し、図２に示す元の位置に復帰する。
同時に、加圧部材１８も圧縮状態から伸長状態に弾性復帰し、再び、インク収容管６の開口後端部６ａ内及び加圧部材１８の加圧室１９が、開口２０を通して外気と通気状態となり、インク収容管６内の加圧状態が開放される。
【００３０】
これにより、本体軸筒２を従来構造と同一長さのものを使用した場合、インク収容管６の長さを、加圧ポンプ機構１６がノック機構９内に収容された分だけ長くすることができるとともに、インク収容管６内に充填されるインク量を増加させることができる。
また、本体軸筒を短軸化した場合においても、既製の長さのインク収容管を使用することができる。
【００３１】
また、ホルダ部材７に内嵌された加圧部材１８を、ノック機構９におけるカム機構１３の回転子１４内を通して、ノック棒１２内に収容するとともに、加圧部材１８の加圧室１９を、ノック棒１２の押込み動作に連動させた押圧部材１７によって、圧縮方向に気密状態で押圧するようにしてあるため、加圧部材１８における加圧室１９内の圧縮を簡素な構造でもって行うことができるとともに、ノック操作を小さな力で容易に行うことができる。
【図面の簡単な説明】
【００３２】
【図１】本発明の一実施形態を示すボールペンの側面図である。
【図２】本体軸筒における後端部の要部拡大断面図である。
【図３】同じく、加圧状態を示す要部拡大断面図である。
【図４】従来のボールペンにおける本体軸筒の後端部の要部拡大断面図である。
【符号の説明】
【００３３】
１    ボールペン
２    本体軸筒
２ａ  前端部
２ｂ  後端部
３    ペン先部材
４    ペンリフィールユニット
５    インク
６    インク収容管
６ａ  開口後端部
７    ホルダ部材
７ａ  後端部
７ｂ  通気路
８    圧縮スプリング
９    ノック機構
１０  ノック部
１１  圧縮スプリング
１２  ノック棒
１２ａ  後端部
１３  カム機構
１４  回転子
１６  加圧ポンプ機構
１７  押圧部材
１７ａ  前端部
１８  加圧部材
１８ａ  前端
１８ｂ  後端
１９  加圧室
２０  開口
２１  段付き顎面
２２  環状突起
２３  段付き顎面
０１  本体軸筒
０２  インク収容管
０３  開口後端部
０４  ホルダ部材
０５  ノック機構
０６  ノック部
０７  ノック棒
０８  圧縮スプリング
０９  カム機構
０１０  回転子
０１１  圧縮スプリング
０１２  加圧ポンプ機構
０１３  加圧部材
０１３ａ  前端開口部
０１３ｂ  後端開口部
０１４  加圧室
０１５  押圧部材
０１５ａ  前端部
【図１】
2009226674.tif 000003
【図２】
2009226674.tif 000004
【図３】
2009226674.tif 000005
【図４】
2009226674.tif 000006